(57)【要約】【課題】独居老人等の安否確認方法として、市の職員等が直接、独居老人等の自宅へ訪問、または、電話をすることで安否確認を行っていた。そのため、独居老人等の安否確認には、非常に手間と人件費が掛かっていた。【解決手段】本発明のリモコンシステムは、リモコン端末と、電子機器と、特定信号受信装置と、管理装置を有するリモコンシステムであって、リモコン端末は、電子機器を操作する制御信号を発信する際、発信される前記制御信号に続いて、特定信号を発信することを特徴とする。【選択図】図１
2011154605.tif 000002
【特許請求の範囲】
【請求項１】
電子機器を操作するリモコン端末において、
前記電子機器を操作する制御信号を発信する際、発信される前記制御信号に続いて、特定信号を発信する
ことを特徴とするリモコン端末。
【請求項２】
請求項１記載のリモコン端末において、
前記特定信号は、安否確認用信号である
ことを特徴とするリモコン端末。
【請求項３】
リモコン端末と、電子機器と、特定信号受信装置と、管理装置を有するリモコンシステムにおいて、
前記リモコン端末は、前記電子機器を操作する制御信号を発信する際、発信される前記制御信号に続いて、特定信号を発信する
ことを特徴とするリモコンシステム。
【請求項４】
請求項３記載のリモコンシステムにおいて、
前記特定信号受信装置は、前記リモコン端末から発信される特定信号を受信する
ことを特徴とするリモコンシステム。
【請求項５】
請求項３記載のリモコンシステムにおいて、
前記特定信号受信装置は、前記リモコン端末から発信される特定信号を受信すると共に、前記特定信号の受信した旨の情報を前記管理装置に送信する
ことを特徴とするリモコンシステム。
【請求項６】
請求項３乃至５のいずれか１項に記載のリモコンシステムにおいて、
前記特定信号は、安否確認用信号である
ことを特徴とするリモコンシステム。
【発明の詳細な説明】
【技術分野】
【０００１】
本発明は、安否確認を行えるリモコン端末およびリモコンシステムに関する。
【背景技術】
【０００２】
これまで、独居老人等の安否確認方法として、市の職員等が直接、独居老人等の自宅へ訪問、または、電話をすることで安否確認を行っていた。そのため、独居老人等の安否確認には、非常に手間と人件費が掛かっていた。
【０００３】
こうした課題を解決するために、特許文献１には、家庭電気製品用のリモコンから発せられた光信号を検出可能な受光センサーと、この受光センサーで光信号が検出された時点から安否確認時間内に、再度光信号が検出されたか否かを判別し、ホストコンピュータへ生存確認信号を送信する安否確認装置が開示されている。
【０００４】
また、特許文献２には、リモコン信号送信装置と情報処理装置を有する情報処理システムであって、リモコン信号送信装置は、電子機器のリモコン信号を受信し、リモコン信号に関するデータと利用者識別情報を情報処理装置に送信し、情報処理装置は、受信したリモコン信号に関するデータと利用者識別情報を解析して、利用者の状況を判定する情報処理システムが開示されている。
【先行技術文献】
【特許文献】
【０００５】
【特許文献１】特開２０００−２９３７７４号公報
【特許文献２】特開２００４−２７４２９６号公報
【発明の概要】
【発明が解決しようとする課題】
【０００６】
ところが、上述した特許文献１に記載された安否確認装置においては、リモコンから発せられた光信号が最低２回必要であり、１回目の光信号が発せられてから２回目の光信号が発せられるまで時間を要した場合、安否確認が遅れるという問題点があった。
【０００７】
また、上述した特許文献２に記載された情報処理システムにおいては、情報処理装置が受信したリモコン信号に関するデータと利用者識別情報を解析するため、高度で複雑な情報処理を行う必要があり、その結果、情報処理装置が高額なものになってしまうという問題点があった。
【０００８】
そこで、本発明の目的は、上述した課題を解決するリモコン端末およびリモコンシステムを提供することにある。
【課題を解決するための手段】
【０００９】
本発明のリモコン端末は、電子機器を操作するリモコン端末であって、電子機器を操作する制御信号を発信する際、発信される制御信号に続いて、特定信号を発信することを特徴とする。
【００１０】
また、本発明のリモコンシステムは、リモコン端末と、電子機器と、特定信号受信装置と、管理装置を有するリモコンシステムであって、リモコン端末は、電子機器を操作する制御信号を発信する際、発信される前記制御信号に続いて、特定信号を発信することを特徴とする。
【発明の効果】
【００１１】
本発明によれば、安否確認が素早く行え、かつ、高額の情報処理装置も必要としない安否確認のためのリモコン端末およびリモコンシステムを得ることができるという効果を奏する。
【図面の簡単な説明】
【００１２】
【図１】本発明に係る実施形態の構成図である。
【発明を実施するための形態】
【００１３】
本発明を実施するための最良の実施形態について、図面を用いて詳細に説明する。
【００１４】
図１は、本発明の実施形態であるリモコンシステム１０の構成図である。リモコンシステム１０は、リモコン端末２１、電子機器２２、特定信号受信装置２３、および、管理装置３０で構成されている。
【００１５】
リモコン端末２１は、昨今、マルチリモコンなどと呼ばれ、全てのボタン押下時に、一般的な電子機器の制御信号２４を送信した後、安否確認用信号２５を送信する。
【００１６】
電子機器２２は、テレビやラジオなど、一般的な家庭に存在する情報機器等である。
【００１７】
特定信号受信装置２３は、リモコン端末２１が送信した安否確認用信号２５の受信を検出することができる。また、特定信号受信装置２３は、セットトップボックス（以下、ＳＴＢと略す）である場合がある。
【００１８】
管理装置３０は、特定信号受信装置２３から送信される安否確認用信号２５を特定信号受信装置２３が受信した旨の情報を受け取ることができる。
【００１９】
次に、リモコンシステム１０の動作について詳細に説明する。
【００２０】
まず、利用者がテレビなどの電子機器２２を見るために、リモコン端末２１のボタンを押下する。
【００２１】
リモコン端末２１は、押されたボタンに対応する一般的な制御信号２４を電子機器２２へ送信する。この時、続けて安否確認用信号２５を送信する。
【００２２】
特定信号受信装置２３は、リモコン端末２１から送信された安否確認用信号２５を受信すると共に、その信号を受信した旨の情報、即ち、安否確認用信号受信通知２６を管理装置３０へ送信する。
【００２３】
管理装置３０は、特定信号受信装置２３から送信された通知情報である安否確認用信号受信通知２６を受け取ることで、特定信号受信装置２３の所有者である利用者が、現在リモコン端末２１を操作できる状態にあると判断することができるので、安否確認が行える。
【００２４】
本発明により、独居老人等の普段テレビを利用することが多いという生活習慣を利用し、テレビのリモコン操作を検出することで、安否確認を行うことができる。具体的には、リモコン端末から安否確認用信号を送信し、特定信号受信装置（ＳＴＢ等）では、その安否確認用信号を検出することで安否確認を行う。これにより、独居老人宅への直接訪問、電話などの安否確認をする等の手間と人件費が掛かっていた独居老人等の安否確認を容易に行うことができる。
【００２５】
また、本発明により、独居老人宅への直接訪問、電話などの安否確認をする等の手間と人件費を削減することができる。
更に、ＳＴＢ等の特定信号受信装置で、安否確認のために受信しなければならない信号は、安否確認用信号のみと決まっているため、ＳＴＢ等の特定信号受信装置の単価が高くなるような受光幅を広げるという特殊な機能は必要なく、安価な機能追加で済むことになる。そのため、コストダウンが図れると共に、汎用性が高まることになる。
【符号の説明】
【００２６】
１０    リモコンシステム
２０    利用者宅
２１    リモコン端末
２２    電子機器
２３    特定信号受信装置
２４    制御信号
２５    安否確認用信号
２６    安否確認用信号受信通知
３０    管理装置
【図１】
2011154605.tif 000003